(57)【特許請求の範囲】
【請求項１】
電気接続箱のケース本体の一側部に後付け電気部品の部品収容部を設け、該部品収容部に前記ケース本体の内部回路と前記後付け電気部品とを接続するワイヤハーネスを収容し、前記電気部品の挿入前に前記ワイヤハーネスを引き出し、該ワイヤハーネスの端末に取り付けたコネクタを前記電気部品と接続した後に、該電気部品を前記部品収容部に挿入する車載用の電気接続箱において、
前記部品収容部の一側壁の上端部に切り欠いて設けて形成した円弧形状の溝からなるワイヤハーネス仮保持溝を設け、該ワイヤハーネス仮保持溝の挿入側開口を前記ワイヤハーネスの外径よりも狭くし、該ワイヤハーネスを前記挿入側開口から押し込んで挿入できると共に、該ワイヤハーネス仮保持溝に保持したワイヤハーネスを前記挿入側開口から引っ張って離脱できる設定とし、
前記ワイヤハーネスの電線群の端末には複数のコネクタを接続しており、これら複数のコネクタと接続した電線群は、前記ワイヤハーネス仮保持溝の下部でテープ巻きして束ね、前記コネクタのうちの１つのコネクタと接続した電線群または１本の電線を前記ワイヤハーネス仮保持溝に離脱自在に仮保持して、前記すべてのコネクタをワイヤハーネス仮保持溝より上方に位置させることが出来る構成としている車載用の電気接続箱。
【請求項２】
前記電気接続箱はリレーボックスからなり、前記電気部品はリレーユニットからなる請求項１に記載の車載用の電気接続箱。
【発明の詳細な説明】
【技術分野】
【０００１】
本発明は車載用の電気接続箱に関し、詳しくは、リレーボックス内に、該リレーボックスの内部回路と接続しているワイヤハーネスを収容しておき、該ワイヤハーネスを引き出してリレーユニットとコネクタ接続した後に、リレーボックスに設けている部品収容部にリレーユニットを収容して組みつける電気接続箱に関するものである。
【背景技術】
【０００２】
車両に搭載されるリレーボックスからなる電気接続箱においては、図８（Ａ）に示すように、リレーボックス１の内部回路とリレーユニット２とを接続するワイヤハーネスＷ／Ｈは、リレーボックス１のリレーユニット用の収容部１ａの下方のロアカバー４の底壁４ａ上に置いて収めている。車両組立工場において、リレーボックス１からワイヤハーネスＷ／Ｈを引きだし、該ワイヤハーネスＷ／Ｈの先端のコネクタ３をリレーユニット２と接続し、その後、図８（Ｂ）に示すように、リレーユニット２を前記収容部１ａ内に後付けで収容する場合がある。
【０００３】
前記リレーボックス１では、収容部１ａの下方のロアカバー４の底壁４ａ上からワイヤハーネスＷ／Ｈを引き出す時に、ワイヤハーネスＷ／Ｈが収容部１ａの下方のロアカバーの底壁４ａ上に落ち込んだ状態で収めているため、コネクタ３を掴みにくく、かつ、コネクタ３が電線に絡んでいる場合には引っ掛かりが生じて取り出しにくい。また、取り出しても電線同士の絡み交差によって電線長が足りなくなる場合もあり、作業性が悪い点に問題がある。
【０００４】
電気接続箱より引き出される電線の保持構造として、本出願人は特開２００１−４５６３５号公報（特許文献１）において、図９に示す電線保持構造を提供している。
前記電線保持構造は、ロアケース５の外側面に固定アーム６と可動アーム７を突設してワイヤハーネスの挿入空間８を設けると共に、両アーム６と７の先端間にワイヤハーネスの挿入口８ａを設け、該挿入口８ａからワイヤハーネスＷ／Ｈを押し込み、挿入空間８内に３点（Ｐ１，Ｐ２，Ｐ３）支持でワイヤハーネスＷ／Ｈを、車両走行時においてガタツキ無く支持している。
【０００５】
前記のように、特許文献１の電気接続箱のワイヤハーネスの支持構造は、挿入空間８内でワイヤハーネスを３点支持して電気接続箱の外面に沿わせた状態のままで使用されるものである。よって、リレーユニットとの接続前まではリレーボックスの内部に収容しておき、車両組立時にリレーボックスから引き出して、リレーユニットに接続するものではないため、ワイヤハーネスを挿入空間８から簡単に離脱させて、外部に引き出す場合には適用することはできない。
【０００６】
【特許文献１】特開２００１−４５６３５号公報
【発明の開示】
【発明が解決しようとする課題】
【０００７】
本発明は前記問題に鑑みてなされたもので、リレーボックス等の電気接続箱内に、リレーユニット等からなる後付け電気部品との接続用ワイヤハーネスを収容しておき、該ワイヤハーネスを引き出して電気部品とコネクタ接続した後に、該電気部品を部品収容部に収容する電気接続箱において、ワイヤハーネスの引きだしを簡単にできるようにすることを課題としている。
【課題を解決するための手段】
【０００８】
前記課題を解決するために、本発明は、電気接続箱のケース本体の一側部に後付け電気部品の部品収容部を設け、該部品収容部に前記ケース本体の内部回路と前記後付け電気部品とを接続するワイヤハーネスを収容し、前記電気部品の挿入前に前記ワイヤハーネスを引き出し、該ワイヤハーネスの端末に取り付けたコネクタを前記電気部品と接続した後に、該電気部品を前記部品収容部に挿入する車載用の電気接続箱において、
前記部品収容部の一側壁の上端部に切り欠いて設けて形成した円弧形状の溝からなるワイヤハーネス仮保持溝を設け、該ワイヤハーネス仮保持溝の挿入側開口を前記ワイヤハーネスの外径よりも狭くし、該ワイヤハーネスを前記挿入側開口から押し込んで挿入できると共に、該ワイヤハーネス仮保持溝に保持したワイヤハーネスを前記挿入側開口から引っ張って離脱できる設定とし、
前記ワイヤハーネスの電線群の端末には複数のコネクタを接続しており、これら複数のコネクタと接続した電線群は、前記ワイヤハーネス仮保持溝の下部でテープ巻きして束ね、前記コネクタのうちの１つのコネクタと接続した電線群または１本の電線を前記ワイヤハーネス仮保持溝に離脱自在に仮保持して、前記すべてのコネクタをワイヤハーネス仮保持溝より上方に位置させることが出来る構成としている車載用の電気接続箱を提供している。
【０００９】
前記のように、本発明では、ケース本体に設けた部品収容部の下方のロアカバーの底壁上に引き出されたワイヤハーネスを、該ロアカバーの底壁上に落ち込んだ状態に置いておくだけではなく、コネクタ接続側を部品収容部の側壁に沿って引き出し、前記ワイヤハーネス仮保持溝で保持して、コネクタを常にケース本体の部品収容部の上方に位置させている。よって、ワイヤハーネスを引き出して電気部品とコネクタ接続する際に、コネクタをロアカバーの底壁側から引き出す必要はなく、コネクタがロアカバーの奥底に入り込んで見つけにくくなることを防止できる。かつ、ワイヤハーネスの絡み合いや引っ掛かりも防止でき、引き出した際の電線長不足もなく、電気接続箱の車両への組み付け作業性を高めることができる。
【００１０】
前記ワイヤハーネス仮保持溝は、前記部品収容部の側壁上端部に切り欠いて設けた円弧形状の溝からなり、該円弧は挿入側開口をワイヤハーネス外径よりも狭くし、前記ワイヤハーネスを開口から押し込んで挿入できると共に、該ワイヤハーネス仮保持溝に保持したワイヤハーネスを開口から引っ張って離脱できる設定としている。
【００１１】
即ち、ワイヤハーネス側は、その弾性によって変形可能であるため、この弾性変形を利用して前記ワイヤハーネス仮保持溝への挿入および引き抜きを行い、挿入状態においてはワイヤハーネスの弾性復元により、該ワイヤハーネスを前記開口部から離脱させることなく仮保持することができる。従って、仮保持溝は前記のように円弧形状の溝とするだけでよく、特許文献１のような、可動アームを設けて弾性変形可能な形成とする必要はなく、容易にワイヤハーネスの仮保持機構を設けることができる。
さらに、前記ワイヤハーネス仮保持溝は、部品収容部の側壁の上端を切り欠いて形成しているだけであるため、部品収容部の容積は電気部品を収容できる大きさから余分に広げる必要もなく、ワイヤハーネスの仮保持状態を安定させることができる。
【００１２】
前記ワイヤハーネス仮保持溝の開口部の両側面には円弧状に少し突出させた首部を設けておくと、挿入後のワイヤハーネスの離脱を確実に防止できると共に、離脱時においてもワイヤハーネスを無理なく引き出すことができる。
【００１３】
前記ワイヤハーネスの電線群の端末には複数のコネクタを接続しており、これら複数のコネクタと接続した電線群は、前記ワイヤハーネス仮保持溝の下部でテープ巻きして束ね、前記コネクタのうちの１つのコネクタと接続した電線群または１本の電線を前記ワイヤハーネス仮保持溝で仮保持して、前記すべてのコネクタをワイヤハーネス仮保持溝より上方に位置させることが出来る構成とし、この仮保持位置で前記電気部品と接続できるようにしている。
【００１４】
外部に引き出すワイヤハーネスの電線群に取り付けた複数のコネクタのうちの１つのコネクタと接続されている１本の電線または複数の電線を仮保持溝で仮保持すると、該コネクタの電線群とテープ巻して束ねた電線群と接続したコネクタも部品収容部より上方に保持しておくことができる。
このように、ワイヤハーネスを構成する全ての電線を仮保持溝に通して保持する必要はなく、電線群のうちの１本の電線、好ましくは太物電線を仮保持溝に通して保持しておくだけでよい。よって、ワイヤハーネス仮保持溝を小さくすることができ、部品収容部の側壁の上壁に小さい仮保持溝を形成するだけでよく、ワイヤハーネスの仮保持機構を設けるためのスペースを新たに設ける必要はない。
【００１５】
本発明の電気接続箱は、例えば、リレーボックスからなり、該リレーボックスに収容しておく電気部品はリレーユニットからなる。
【発明の効果】
【００１６】
上述したように、本発明によれば、部品収容部の側壁上端に形成したワイヤハーネス仮保持溝にワイヤハーネスのコネクタ接続部の根元位置を挿入することにより、常にコネクタを部品収容部の上方に位置させておくことができる。従って、ワイヤハーネスを引き出す際にコネクタを探す手間が無くなるうえ、電線絡みや引っかかりを防いで電線長不足の発生も防止できるため、電気接続箱に接続したワイヤハーネスと後組みつけする電気部品とのコネクタ接続作業性を向上させることができる。
また、ワイヤハーネス仮保持溝は、ワイヤハーネスの弾性変形性を利用して挿入・保持・離脱を行うため、該仮保持溝側には複雑な構造も変形性も必要なく、製造コストを抑えることができる。
【００１７】
さらに、複数のコネクタのうち一つのコネクタと接続した電線群または１本の電線をワイヤハーネス仮保持溝で仮保持し、その他の電線は仮保持された電線とテープ巻きで束ねることにより、仮保持溝を極小化でき、電気接続箱の省スペース化および小型化を測ることができる。
【発明を実施するための最良の形態】
【００１８】
以下、本発明の実施形態を図面を参照して説明する。
図１乃至図６に本発明の車載用のリレーボックス１０を示す。
リレーボックス１０は、図１〜図３に示すように、バスバー（図示せず）等の内部回路を収容したケース本体１１と、ケース本体１１に取り付けるロアカバー１２と、アッパーカバー（図示せず）とを備えている。前記ロアカバー１２をケース本体１１にロック結合した後に、アッパーカバーをケース本体１１に被せてロック結合している。
【００１９】
前記ケース本体１１は、上面に複数のリレー１５、ヒューズ１６を搭載し、ケース本体１１内に収容したバスバー（図示せず）からなる内部回路と接続している。
また、リレーユニット１３を後付けで収容する部品収容部２１を図１に示すように、ケース本体１１の一辺側に周壁で囲んで設けている。
該部品収容部２１の下方のロアカバー１２の底壁１２ａ上に前記内部回路と前記リレーユニット１３とを接続するワイヤハーネス１９を引き出して収容している。
前記ワイヤハーネス１９の端末にコネクタ２９（２９Ａ〜２９Ｃ）を接続しており、該ワイヤハーネス１９を外方へ引き出し、リレーユニット１３とコネクタ接続した後に、図３にクロス斜線で示すリレーユニット１３を部品収容部２１内に後付けで組みつけている。
【００２０】
前記部品収容部２１は、前記のようにケース本体１１の周壁からなる内壁２１ａ、外壁２１ｄ、および内外壁２１ａと２１ｄを連続する左右側壁２１ｂ、２１ｃとの囲まれた縦長な上下開口の空間からなり、下開口の下方にロアカバー１２の底壁１２ａが位置している。
【００２１】
前記部品収容部２１を囲む垂直方向の右側壁２１ｂの上端に、ワイヤハーネス仮保持溝（以下、仮保持溝と略称する）２３を上下方向に貫通して設けている。該仮保持溝２３は平面視で円弧形状で、側方に挿入側開口２６を開口し、該挿入用開口２６の寸法Ｌ１は仮保持溝２３の直径Ｌ２よりも小さくしている。
【００２２】
前記仮保持溝２３の直径Ｌ２は、図４（Ｂ）に示すように、コネクタ２９Ａと接続するワイヤハーネス１９Ａのうちで、最も太い１本の太物電線５０を丁度嵌合保持できる大きさとしている。前記挿入側開口２６の寸法Ｌ１は、前記太物電線５０の絶縁被覆部を撓ませて挿入できる寸法としている。
【００２３】
前記ケース本体１１の内部回路と接続したワイヤハーネス１９は、前記のように、３つのコネクタ２９Ａ、２９Ｂ、２９Ｃに接続した３つのワイヤハーネス１９Ａ〜１９Ｃからなり、これらワイヤハーネス１９Ａ〜１９Ｃを前記仮保持溝２３で仮保持する位置よりも下方でテープ３０を巻き付けて束ねている。
【００２４】
ケース本体１１の内壁２１ａの下方から引き出される前記ワイヤハーネス１９Ａ〜１９Ｃは、図２に示すように、部品収容部２１の下方のロアカバー１２の底壁１２ａ上に引き出し、該底壁１２ａ上に折り畳み状態で収めていると共に、コネクタ２９Ａ〜２９Ｃとの接続側のワイヤハーネス１９Ａ〜１９Ｃを前記右側壁２１ｂの内面に沿って引き上げ、前記太物電線５０を仮保持溝２３に挿入用開口２６から押し込んで挿入し、離脱自在に仮保持している。
【００２５】
前記のように、太物電線５０を仮保持溝２３に挿入して仮保持すると、図２、図５、図６に示すように、太物電線５０と接続したコネクタ２９Ａが仮保持溝２３の上方に保持され、ケース本体１１の部品収容部２１の上方に位置する。かつ、該コネクタ２９Ａに接続したワイヤハーネス１９Ａとテープ３０で結束した他のコネクタ２９Ｂ、２９Ｃもケース本体１１の部品収容部２１の上方に引き上げられる。かつ、これらコネクタ２９Ａ〜２９Ｃに接続したワイヤハーネス１９Ａ〜１９Ｃのコネクタ接続側の電線群は収容部２１の右側壁２１に沿った位置に仮保持されることとなる。
【００２６】
リレーユニット１３は、車両組立工程において、リレーボックス１０からワイヤハーネス１９Ａ〜１９Ｃを引き出し、該ワイヤハーネス１９Ａ〜１９Ｃのコネクタ２９Ａ〜２９Ｃと接続し、接続後にリレーボックス１０の部品収容部２１の上方開口から挿入して組みつけている。部品収容部２１内にリレーユニット１３を挿入して組みつけた状態で、ワイヤハーネス１９のコネクタ２９Ａ〜２９Ｃはリレーユニット１３の下端面のコネクタと接続し、部品収容部２１の下部とケース本体１１の下部のロアカバー１２内に収容される。
【００２７】
前記リレーユニット１３にワイヤハーネス１９Ａ〜１９Ｃを接続する作業工程において、これらワイヤハーネス１９Ａ〜１９Ｃの端末のコネクタ２９Ａ〜２９Ｃはケース本体１１の部品収容部２１の上方に位置しているため、これらコネクタ２９Ａ〜２９Ｃを簡単に把持できる。即ち、ロアカバーの底壁上に落ち込んでいるコネクタを探して引っ張り出す必要がない。
かつ、把持した状態で、ワイヤハーネス１９Ａの太物電線５０を仮保持溝２３から抜け出る側方に引っ張れば、仮保持状態が解消され、ワイヤハーネス１９Ａ〜１９Ｂをリレーボックス１０から引っ張り出すことが簡単にできる。
【００２８】
このように、本発明のリレーボックス１０では、ワイヤハーネス１９を部品収容部２１の下方のロアカバー１２の底壁１２ａ上に置いて収めているだけでなく、コネクタ２９Ａ〜２９Ｃとの接続側の電線群を部品収容部２１の側壁２１ｂに沿って引き出し、コネクタ２９Ａ〜２９Ｃを仮保持溝２３の上方に位置させ、ワイヤハーネス１９の電線群のうちの太物電線５０を仮保持溝２３に押し込んで保持しているため、ワイヤハーネス１９の３つのコネクタ２９Ａ〜２９Ｃをケース本体１１の部品収容部２１の上部に引き出された状態に仮保持できる。
【００２９】
このように、コネクタ２９Ａ〜２９Ｃを予めケース本体１１およびロアカバー１２の上部に仮保持しているため、部品収容部２１の下方のロアカバー１２の底壁側に作業者が手を入れてコネクタを探す手間がかからない。また、ロアカバー１２の底壁１２ａ上に折り畳み状態で収容されるワイヤハーネス１９の電線群は、夫々コネクタ２９Ａ〜２９Ｃとの接続側が上方に引き出されているため、電線に絡みや引っかかりが発生せず、リレーユニット１３との接続作業性を改善することができる。
【００３０】
また、仮保持溝２３で保持する太物電線５０は絶縁樹脂被覆層を圧縮できるため、該太物電線５０の外径よりも小さい幅Ｌ１の挿入側開口２６を通して押し込んで容易に仮保持溝２３内に挿入することができる。かつ、挿入後は太物電線５０の絶縁被覆層の弾性復元によって抜け落ちはしないが、離脱自在な状態で仮保持することができる。
太物電線５０を仮保持溝２３から離脱させてワイヤハーネス１９を外方へ引き出す時は、挿入側開口２６から太物電線５０を引っ張ることにより、太物電線５０を傷つけることなく容易に離脱させることができる。
【００３１】
さらに、前記仮保持溝２３を前記形状とすることにより、該仮保持溝２３は変形する弾性力を付与する必要はなく、ケース本体１１に一体成形で簡単に設けることができる。
さらにまた、仮保持溝２３を側壁２１ｂの内面側から切り欠いて凹設しているため、該仮保持溝２３に外力が加わりにくく、ワイヤハーネス１９の仮保持状態を安定させることができる。
【００３２】
かつ、ワイヤハーネス１９に複数のコネクタ２９Ａ〜２９Ｃを接続している場合でも、一つのコネクタ２９Ａに接続された１つの電線のみを仮保持溝２３に仮保持させ、他の電線群１９Ｂ、１９Ｃは仮保持溝２３の下部で電線群１９Ａにテープ巻きで束ねているため、全コネクタ２９Ａ〜２９Ｃを仮保持溝２３の上方に位置させることができ、かつ、仮保持溝２３のサイズを小さくでき、ワイヤハーネス仮保持機構を設けることにより、リレーボックス１０が大型化することもない。
【００３３】
本発明は前記実施形態に限定されず、ワイヤハーネス仮保持溝２３に挿入して保持する電線は１本の太物電線ではなく、図７に示すように、１つのコネクタ２９Ａに接続した複数の電線を挿通して保持するようにしてもよい。この場合は、これら複数の電線群の外径にワイヤハーネス仮保持溝２３の大きさを設定している。また、ワイヤハーネス仮保持溝の開口は上方または下方に開口していてもよい。
【図面の簡単な説明】
【００３４】
【図１】本発明の実施形態に係るリレーボックスの斜視図である。
【図２】図１のリレーボックスの内部回路にワイヤハーネスを接続した状態を示す斜視図である。
【図３】リレーボックスにリレーユニットを後付けした状態の平面図である。
【図４】ワイヤハーネス仮保持溝を示し、（Ａ）は拡大斜視図、（Ｂ）はワイヤハーネス仮保持溝への電線群挿入時の状態を示す概略平面図である。
【図５】リレーユニットを取付前の部品収容部のワイヤハーネスを示す説明断面図である。
【図６】ワイヤハーネスの収容状態を示す要部拡大斜視図である。
【図７】（Ａ）（Ｂ）は変形例を示す図面である。
【図８】リレーブロックの従来例を示す図である。
【図９】電線保持構造の従来例を示す図面である。
【符号の説明】
【００３５】
１０  リレーボックス（電気接続箱）
１１  ケース本体
１２  ロアカバー
１３  リレーユニット（電気部品）
２１  部品収容部
１９（１９Ａ〜１９Ｃ）  ワイヤハーネス
２９Ａ〜２９Ｃ  コネクタ
２３  ワイヤハーネス仮保持溝
【図１】
0005114240.tif 000002
【図２】
0005114240.tif 000003
【図３】
0005114240.tif 000004
【図４】
0005114240.tif 000005
【図５】
0005114240.tif 000006
【図６】
0005114240.tif 000007
【図７】
0005114240.tif 000008
【図８】
0005114240.tif 000009
【図９】
0005114240.tif 000010